(57)【特許請求の範囲】
【請求項１】
ラックに取り付けられ、当該ラック内に関する所定の情報を表示する表示装置であって、
前記ラックに固設可能な裏面を有する長尺のダクトベースと、
その前面に表示部が取り付けられ、前記表示部への配線経路を配置する表示部用配線スペースを内包する長尺のダクトと、
を備え、
前記ダクトベースは、その長手方向に沿った一方側縁部に第１係合部を有し、
前記ダクトは、その長手方向に沿って伸びる第２係合部を有し、
前記ダクトは、前記ダクトベースの長手方向に沿った他方側縁部に回動自在に蝶着され、
前記第１と第２の係合部が互いに係合することによって、前記ラックの所定部位への配線を収容するラック用配線スペースが前記ダクトの裏面と前記ダクトベースの前面との間に形成されることを特徴とする表示装置。
【請求項２】
請求項１記載の表示装置において、
前記ダクトベースの前記他方側縁部にて前記ダクトが前記ダクトベースと一体に形成されていることを特徴とする表示装置。
【請求項３】
請求項１又は請求項２に記載の表示装置において、
前記ダクトベースは、断面略Ｌ字形状の部材であり、
前記ダクトベースと対向する前記ダクトの前記裏面は略平面であり、
前記ダクトを前記ダクトベースに重ね合わせて装着することによって、
前記ラック用配線スペースが断面略三角形に形成されることを特徴とする表示装置。
【請求項４】
請求項１から請求項３のいずれかに記載の表示装置において、
前記表示部が前記ダクトの前面側に重ね合わされた状態にて、前記表示部の両端が拘止部材によって前記ダクトに拘止されることによって、前記表示部が前記ダクトの前面に取り付けられていることを特徴する表示装置。
【発明の詳細な説明】
【０００１】
【発明の属する技術分野】
本発明は、例えばピッキングシステム等の収容棚として用いられるラックに取り付けられ、当該ラック内に関する所定の情報、例えばピッキングすべき商品の個数を表示する表示装置に関する。
【０００２】
【従来の技術】
スーパーマーケットやコンビニエンスストア等の小売店舗向けの物流センター（配送センターや出荷センター等）においては、各店舗からの受注個数に応じた各種商品を取り揃える仕分け作業をピッキングシステムやソーティングシステムを用いて行うことが多い。ピッキングシステムとは、各店舗ごとの集品コンテナを搬送しつつ、その集品コンテナに各種商品を受注個数ずつ投入する商品仕分けシステムである。一方、ソーティングシステムとは、仕分けする商品の方を搬送し、各店舗ごとの集品コンテナに各種商品を受注個数ずつ投入する商品仕分けシステムである。いずれのシステムにおいても、各種商品の受注個数を表示する表示装置が用いられる。
【０００３】
例えば、ピッキングシステムにおいては、集品コンテナを搬送する搬送経路に沿って、品目ごとに商品を収容する収容棚を多数配置し、各収容棚のそれぞれにその商品の受注個数を表示する表示装置を設けている。ピッキングの作業者は、表示装置に受注個数が表示された商品棚からその受注個数の商品を取り出して集品コンテナに投入することにより、店舗ごとに受注商品を受注個数ずつ仕分けることができる。
【０００４】
一般に上記の商品棚は、多数のフレームを格子状に組み上げたラック内に設けられることが多く、表示装置は各商品棚ごとにその商品棚を構成するフレームに取り付けられる。一方、ラックのフレームには上記表示装置以外にも他の情報出力機器が取り付けられることが多い。例えば、ラックのフレームには商品棚に収容されている商品数が不足していることを知らせるランプ回転灯や音声スピーカーが所定数の商品棚ごとに設けられている。すなわち、仕分け作業が進行するにつれて商品棚に収容されている商品数が少なくなり、所定数よりも少なくなったときにピッキングの作業者が表示装置に設けられた商品補充を要求するスイッチをＯＮにすると、これらランプ回転灯や音声スピーカーが作動して商品管理の担当者等に商品不足を知らせるのである。
【０００５】
【発明が解決しようとする課題】
ところで、物流センターにピッキングシステムを設置するときには、センター内にラックを組み上げ、ラックのフレームに各商品棚ごとに表示装置を取り付けるとともに、例えばラックの最上部に所定の間隔ごとにランプ回転灯等を取り付ける。そして、ラックに表示装置およびランプ回転灯等を取り付けた後、それぞれへの電源ケーブルや信号ケーブルを配線する。
【０００６】
従来においては、これらの配線作業を行うときに、ラックのフレーム内部に電源ケーブル等を通したり、或いはラックの最上部に配線専用のダクトを別に設けてそのダクト内部に電源ケーブル等を通した後、表示装置およびランプ回転灯等に接続するようにしていた。従って、配線作業が非常に煩雑なものとなり、当該作業に多大な工数を要することとなり、その結果コストアップも避けられないという問題が生じていた。
【０００７】
また、配線経路が複雑かつ長大になるため、ケーブル自体のコストが大きくなるとともに、ケーブルの電気抵抗が大きくなって電力損失を招き、ピッキングシステムのランニングコストが増大するという問題も生じていた。また、ケーブルの電気抵抗が大きくなると一列に接続可能な表示装置の数も多くすることができない。
【０００８】
さらに、ラックの最上部に配線専用のダクトを別に設けた場合は、当該ダクトが障害となって物流センターにおいてそのラック最上部を使用することができないという問題も生じる。
【０００９】
本発明は、上記課題に鑑みてなされたものであり、ラックへの取付作業を簡便に行うことができる表示装置を提供することを目的とする。
【００１０】
【課題を解決するための手段】
上記課題を解決するため、請求項１の発明は、ラックに取り付けられ、当該ラック内に関する所定の情報を表示する表示装置であって、前記ラックに固設可能な裏面を有する長尺のダクトベースと、その前面に表示部が取り付けられ、前記表示部への配線経路を配置する表示部用配線スペースを内包する長尺のダクトと、を備え、前記ダクトベースは、その長手方向に沿った一方側縁部に第１係合部を有し、前記ダクトは、その長手方向に沿って伸びる第２係合部を有し、前記ダクトは、前記ダクトベースの長手方向に沿った他方側縁部に回動自在に蝶着され、前記第１と第２の係合部が互いに係合することによって、前記ラックの所定部位への配線を収容するラック用配線スペースが前記ダクトの裏面と前記ダクトベースの前面との間に形成されている。
【００１２】
また、請求項２の発明は、請求項１の発明に係る表示装置において、前記ダクトベースの前記他方側縁部にて前記ダクトを前記ダクトベースと一体に形成している。
【００１３】
また、請求項３の発明は、請求項１又は請求項２の発明に係る表示装置において、前記ダクトベースを断面略Ｌ字形状の部材とし、前記ダクトベースと対向する前記ダクトの前記裏面を略平面とし、前記ダクトを前記ダクトベースに重ね合わせて装着することによって、前記ラック用配線スペースを断面略三角形に形成している。
【００１４】
また、請求項４の発明は、請求項１から請求項３のいずれかの発明に係る表示装置において、前記表示部が前記ダクトの前面側に重ね合わされた状態にて、前記表示部の両端が拘止部材によって前記ダクトに拘止されることによって、前記表示部が前記ダクトの前面に取り付けられている。
【００１６】
【発明の実施の形態】
以下、図面を参照しつつ本発明の実施の形態について詳細に説明する。
【００１７】
＜１．第１実施形態＞
まず、本発明に係る表示装置が適用されるピッキングシステムおよびそのラックについて説明する。
【００１８】
図１は、本発明に係る表示装置が適用されるピッキングシステムのラックの一部を示す正面図である。ピッキングシステムのラック１は、多数のフレーム１０を格子状に組み立てて構成されており、その内部に多数の商品棚２が上下二段に積み重ねられて設けられている。各商品棚２には仕分け対象となる商品が品目ごとに収容されている。各商品棚２の前面（紙面側）および背面（紙面の裏面側）は開放されており、いずれの側からも商品の出し入れが可能である。
【００１９】
また、ラック１のフレーム１０には多数の商品棚２のそれぞれについて１つの表示部２０が付設されている。なお、厳密には後に詳述するように、各表示部２０はラック１のフレーム１０に取り付けられた表示装置の前面に取り付けられているものである。図２は、表示部２０の構成を示す図である。同図に示す如く、表示部２０には、点灯することによって商品のピッキングを指示するピッキング指示ランプ２１と、ピッキングする商品の個数（受注個数）を表示する個数表示窓２２と、その個数表示窓２２に表示された指定個数の商品のピッキングが完了したときに押す集品完了ボタン２３と、商品棚２内の商品在庫量が不足したときに商品補充を要求するために押す商品補充申告ボタン２４とが設けられている。
【００２０】
図１に戻り、ラック１の最上部を構成するフレーム１０にはランプ回転灯１６および音声スピーカー１７が設置されている。ランプ回転灯１６および音声スピーカー１７は、表示部２０の商品補充申告ボタン２４が押されたときに、商品棚２内の商品在庫量が不足したことをそれぞれ光および音声によって警告する警告情報出力部である。ランプ回転灯１６および音声スピーカー１７は、各商品棚２ごとに設けられるものではなく、複数の所定数の商品棚２について１個の割合で設置されている。
【００２１】
ピッキングシステムには、図１に示すラック１以外にも集品コンテナを搬送する搬送コンベア、表示部２０やランプ回転灯１６等に電力を供給する電源および表示部２０やランプ回転灯１６等と電気信号の送受信を行うコントローラ等が設けられている。このようなピッキングシステムにおける通常の処理手順について簡単に述べておく。
【００２２】
ピッキングの作業者は、ラック１の前面側であってラック１と上記搬送コンベアとの間にて作業を行う。搬送コンベアによってある店舗向けの集品コンテナが搬送されてくると、当該店舗から受注のあった商品を収容した商品棚２上の表示部２０のピッキング指示ランプ２１が点灯するとともに、個数表示窓２２にピッキングすべき商品の個数が表示される。ピッキングの作業者は、ピッキング指示ランプ２１が点灯している商品棚２から個数表示窓２２に表示されている数の商品を取り出して集品コンテナに投入する。そして、ピッキング作業者は、個数表示窓２２に表示されている数の商品の集品が完了した時点で、集品完了ボタン２３を押す。ピッキング指示ランプ２１が点灯している全ての商品棚２からの集品が行われることによって１つの店舗向けのピッキング作業が完了する。なお、通常、一人のピッキングの作業者は複数の所定数の商品棚２からの集品を担当する。
【００２３】
このようにして順次新たな集品コンテナが搬送され、ピッキング作業が進行するにしたがって、商品棚２内の商品数が減少し、やがて個数表示窓２２に表示されている数の集品が行えない程度にまで商品が不足することとなる。このため、ある商品棚２内の商品数が減少してきたときには、適当なタイミングにてピッキング作業者が当該商品棚２上の表示部２０の商品補充申告ボタン２４を押す。商品補充申告ボタン２４が押されると、当該商品棚２が設けられているエリアのランプ回転灯１６が点灯するとともに、音声スピーカー１７からの音声警告が行われ、商品数減少を周囲に知らしめる。
【００２４】
ラック１の背面側には商品管理の担当者が待機しており、ランプ回転灯１６および音声スピーカー１７の作動によって商品数減少を知ったその担当者は、商品数が減少している商品棚２に倉庫等の商品保管所から新たに商品を補充する。以上のような作業を繰り返すことによってピッキングシステムにおける作業が円滑に進行するのである。
【００２５】
次に、上記の表示部２０を備えてラック１のフレーム１０に取り付けられた本発明に係る表示装置について説明する。図３は、ラック１のフレーム１０に取り付けられた本発明に係る表示装置を示す斜視図である。また、図４は図３の表示装置の断面図である。
【００２６】
表示装置は、主としてフレーム１０に固設されるダクトベース３０と表示部２０が取り付けられたダクト４０とを備えている。ダクトベース３０は、ラック１のフレーム１０に固設可能な裏面３０ａを有する長尺の板状部材であって、その断面形状はＬ字形状である。すなわち、ダクトベース３０は、長尺の取付片３１の長手方向に沿った下側縁部に長尺の延設片３２を取付片３１と垂直をなすように形成している。取付片３１を貫通して取付ネジ１１をフレーム１０に螺着することにより、裏面３０ａがフレーム１０に固設され、ダクトベース３０がラック１に取り付けられる。
【００２７】
ダクトベース３０の長手方向に沿った一方側縁部には、係合部３３（第１係合部）が形成されている。より正確には、ダクトベース３０の延設片３２の長手方向に沿った縁部（取付片３１が設けられているのと反対側の縁部）に係合部３３が形成されている。この係合部３３は、後述するダクト４０の係合部４３と互いに係合されるものである。
【００２８】
ダクト４０は、長尺の底板４２と外板４１とで形成される断面蒲鉾形状の筒状体の内部に長尺の基板４４を設けて構成されている。具体的には、底板４２に２つの支持部４５が立設され、それら２つの支持部４５によって基板４４が底板４２と略平行に支持されている。この基板４４によってダクト４０内の空間は概ね上下の２室に分離されることとなる。
【００２９】
湾曲形状の外板４１は、底板４２とその両縁部にて固設されている。外板４１には表示部２０を取り付けることが可能であり、外板４１に表示部２０を取り付けることによってダクト４０の前面に表示部２０が取り付けられることとなる。
【００３０】
底板４２は平板であり、ダクトベース３０と対向するダクト４０の裏面４０ａ（つまり底板４２の裏面）も平面となる。このダクト４０の底板４２は、ダクトベース３０の長手方向に沿った他方側縁部（上記一方側縁部と反対側の縁部）に回動自在に蝶着されている。より厳密には、ダクトベース３０の取付片３１の長手方向に沿った上側縁部（延設片３２が設けられているのと反対側の縁部）に底板４２が回動自在に蝶着されている。具体的には、ダクトベース３０の上記他方側縁部にてダクト４０がダクトベース３０と一体に形成されており、ダクトベース３０とダクト４０との接続部分は直線（点Ｐ１を通過する紙面に垂直な直線）のみとする。ダクトベース３０とダクト４０とを直線で接するように一体に形成するとともに、少なくともダクトベース３０とダクト４０との接続部分を軟質の樹脂製とすることによりダクト４０はダクトベース３０に対して点Ｐ１を軸として回動自在となる。
【００３１】
図５は、ダクト４０が回動する様子を示す図である。ダクト４０の底板４２には、その長手方向に沿って伸びる係合部４３（第２係合部）が形成されている。係合部４３は、底板４２のダクトベース３０との接続部分とは反対側の縁部であって、ダクトベース３０の係合部３３と係合可能な位置に形成されている。ダクト４０を図５中矢印ＡＲ１にて示すように時計回りに回動させて係合部４３をダクトベース３０の係合部３３に係合させることによって、ダクト４０がダクトベース３０に重ね合わされて装着される。ダクト４０がダクトベース３０に装着されると、ダクト４０の裏面４０ａとダクトベース３０の前面との間に断面形状が直角三角形のラック用配線スペースＳＰ１が形成される。このラック用配線スペースＳＰ１には、ランプ回転灯１６および音声スピーカー１７への電力供給や信号伝送のための配線３９が収容される。
【００３２】
一方、ダクト４０を図５中矢印ＡＲ２にて示すように反時計回りに回動させて係合部４３をダクトベース３０の係合部３３から離間させることにより、ダクト４０がダクトベース３０から外れ、ラック用配線スペースＳＰ１が開放されることとなる。
【００３３】
ところで、上述したように、ダクト４０の筒状体内部の空間は基板４４によって概ね上下の２室に分離されている。このうち底板４２と基板４４との間に挟まれた空間は、表示部２０への電力供給や信号伝送のための配線４９を配置する表示部用配線スペースＳＰ２となる。すなわち、ダクト４０には、表示部２０への配線経路を配置する表示部用配線スペースＳＰ２が内包されているのである。また、基板４４と外板４１との間に挟まれた上側の空間には配線４９と表示部２０とを接続する接続端子やプリント基板等が設けられている。
【００３４】
次に、図３から図５に示した本発明に係る表示装置をラック１のフレーム１０に取り付ける方法について説明する。既に、フレーム１０を格子状に組み上げた図１に示す如きラック１は設置されているものとする。本実施形態のダクトベース３０およびダクト４０は一体に形成されているため、ダクトベース３０およびダクト４０は同時にフレーム１０に取り付けられることとなる。
【００３５】
上記表示装置をフレーム１０に取り付けるときには、例えばラック１の長さと同じ長さのダクトベース３０およびダクト４０を１つ取り付けるようにしても良いし、商品棚２の幅と同じ長さのダクトベース３０およびダクト４０を商品棚２の数と同数取り付けるようにしても良い。すなわち、表示装置取り付け時のダクトベース３０およびダクト４０の長さは商品棚２の幅からラック１の長さまでの範囲内にて任意の長さとすることができ、長いダクトベース３０およびダクト４０を適当に切断して複数回に分けて取り付けることも可能である（但し、表示部２０が設けられている部分を切断することは不可）。また、表示装置取り付け時には、予めダクト４０の前面に表示部２０が取り付けられるとともに、表示部用配線スペースＳＰ２に表示部２０への配線４９が配置されている。
【００３６】
このようなダクトベース３０およびダクト４０を取付ネジ１１を用いてフレーム１０に取り付ける。なお、取付ネジ１１にてダクトベース３０をフレーム１０に固定する間隔は必要な取り付け強度が得られる範囲内にて適当な値とすることができる。また、取付ネジ１１にてダクトベース３０をフレーム１０に固定するときには、係合部４３をダクトベース３０の係合部３３から離間させてダクト４０をダクトベース３０から外し、図５に示す状態としておく。ダクトベース３０をフレーム１０に固定することによって、それと一体に形成されたダクト４０もフレーム１０に固定されることとなる。
【００３７】
次に、ランプ回転灯１６および音声スピーカー１７への電力供給や信号伝送のための配線３９をダクトベース３０とダクト４０との間に配置する。ランプ回転灯１６および音声スピーカー１７は、ラック１の一部にのみ設置されているものであるため、配線３９は必要なダクトベース３０とダクト４０との間にのみ配置すれば良い。例えば、図１において上段側に取り付けられたダクトベース３０とダクト４０との間にのみ配線３９を配置すれば良い。
【００３８】
必要な配線３９の配置作業が終了した後、ダクト４０を図５中矢印ＡＲ１にて示すように時計回りに回動させて係合部４３をダクトベース３０の係合部３３に係合させ、ダクト４０をダクトベース３０に重ね合わせて装着する。これによって、ダクト４０の裏面４０ａとダクトベース３０の前面との間に断面直角三角形のラック用配線スペースＳＰ１が形成され、そのラック用配線スペースＳＰ１にランプ回転灯１６および音声スピーカー１７への配線３９が収容されて図４に示す状態となる。
【００３９】
次に、図４に示す状態のダクトベース３０およびダクト４０の両端にコネクタを設け、そのコネクタと配線３９および配線４９を接続する。当該コネクタを他のダクトベース３０およびダクト４０のコネクタ、ランプ回転灯１６等または直接電源やコントローラ等に接続することにより、ラック１に付設された全ての表示部２０およびランプ回転灯１６等に必要な電力および電気信号を供給することができる。
【００４０】
以上のように、本実施形態では、ダクト４０がダクトベース３０に対して回動自在に蝶着されているため、ラック１のフレーム１０にダクトベース３０を固定してダクト４０を回動させるだけでダクト４０をダクトベース３０に容易に装着することができ、表示装置をラック１に簡便に取り付けることができる。
【００４１】
また、ラック用配線スペースＳＰ１と表示部用配線スペースＳＰ２とが分離され、ランプ回転灯１６および音声スピーカー１７への配線３９は専らラック用配線スペースＳＰ１に収容されるとともに、表示部２０への配線４９は専ら表示部用配線スペースＳＰ２に配置され、表示装置内に配線を通すことができるため、従来のようにフレーム１０内部に電源ケーブル等を通したり、或いはラック１の最上部に配線専用のダクトを別に設けたりする作業が不要となり、配線作業を含むラック１への表示装置の取付作業が簡便なものとなる。従って、配線作業を含む表示装置の取付作業に要する作業工数を大幅に削減することができ、ピッキングシステムの設置作業コストを低減することができる。
【００４２】
また、ランプ回転灯１６および音声スピーカー１７への配線３９専用のラック用配線スペースＳＰ１と各表示部２０への配線４９専用の表示部用配線スペースＳＰ２とを設けているため、配線経路も単純かつ必要最小限の長さにすることができるため、配線自体のコスト上昇を抑制することができるとともに、配線の電気抵抗を小さくしてピッキングシステムのランニングコストを低減することができる。さらに、配線の電気抵抗を小さくすることによって、一列に接続可能な表示装置の数も多くすることができるという付加的な効果も得られる。
【００４３】
また、ダクトベース３０およびダクト４０は一体に形成されているため、表示装置の取付作業を迅速に行うことができるとともに、表示装置の製作性も向上する。
【００４４】
さらに、本実施形態においては、ダクトベース３０を断面Ｌ字形状とすることによって断面直角三角形のラック用配線スペースＳＰ１を形成しており、簡単な構成によってランプ回転灯１６および音声スピーカー１７への配線３９専用のラック用配線スペースＳＰ１を形成することができる。
【００４５】
また、図４に示すように、ピッキングシステムの一部として稼働状態の表示装置にあっては、表示部２０が斜め上方を向いている。従って、図４の表示装置がピッキング作業者の目の高さよりも下にあるときは、当該作業者から表示部２０が見やすくなる。逆に、表示装置がピッキング作業者の目の高さよりも上にあるときは、表示装置の取付態様を図６に示すような形態とすれば良い。図６の表示装置は、ダクトベース３０の取付片３１の上側縁部に延設片３２を形成している点以外は、上記第１実施形態において説明したものと同じである。図６の表示装置がピッキングシステムの一部として稼働状態にあるときには表示部２０が斜め下方を向くこととなる。従って、図６の表示装置がピッキング作業者の目の高さよりも上にあるときは、当該作業者から表示部２０が見やすくなる。その結果、例えば図１に示すラック１において、上段には図６に示す表示装置を設けるとともに、下段には図４に示す表示装置を設ければ、ピッキング作業者が容易に表示部２０を視認することができ、ピッキング作業の効率が向上する。
【００４６】
＜２．第２実施形態＞
図７は、第２実施形態の表示装置を示す斜視図である。また、図８は第２実施形態の表示装置の断面図である。第２実施形態の表示装置が第１実施形態の表示装置と異なるのは、ダクト４０への表示部２０の取付態様である。
【００４７】
第２実施形態においても、フレーム１０に固設される断面Ｌ字形状のダクトベース３０に対してダクト４０が一体に形成されるとともに回動自在に蝶着されている点は上記第１実施形態と同じである。そして、ダクト４０の係合部４３とダクトベース３０の係合部３３とを互いに係合させてダクト４０をダクトベース３０に装着することにより、ダクト４０の裏面４０ａとダクトベース３０の前面との間に断面形状が直角三角形のラック用配線スペースＳＰ１が形成され、当該ラック用配線スペースＳＰ１にランプ回転灯１６および音声スピーカー１７への配線３９が収容される点も上記第１実施形態と同じである。
【００４８】
一方、第２実施形態においては、ダクト４０の底板４２上に、その長手方向に沿って上部係止部４６ａと下部係止部４６ｂとが延びている。上部係止部４６ａは底板４２の上縁部に設けられ、下部係止部４６ｂは底板４２の下縁部に設けられている。また、第２実施形態においては、表示部２０への配線４９に代えて、ダクト４０の底板４２の表面にその長手方向に沿って金属レール４８が並設されている。金属レール４８は、配線４９と同様に表示部２０への電力供給や信号伝送を行うための配線経路である。
【００４９】
このダクト４０に表示部２０を取り付ける作業は以下のようなものである。まず、図７および図８に示すように、表示部２０の係止部２６をダクト４０の上部係止部４６ａの上方からに引っ掛けるようにして係合させ、表示部２０をダクト４０の前面側に重ね合わせる。このときに、表示部２０の電極２８とダクト４０の金属レール４８とが接触し、表示部２０と金属レール４８との電気的接触が得られる。そして、表示部２０とダクト４０の底板４２との間の隙間が表示部２０への配線経路を配置する表示部用配線スペースとなる。なお、表示部２０はダクト４０の上部係止部４６ａのみに係止されており、下部係止部４６ｂに対しては何らの係合関係をも有していない。
【００５０】
次に、ダクトカバー５０をダクト４０に取り付ける。ダクトカバー５０は、弾性に富む樹脂製のものが好ましく、その長さは適宜の長さに予め切断されている。ダクトカバー５０をダクト４０に取り付けるときには、ダクトカバー５０の内周面を表示部２０の係止片２９の上から重ね合わせつつ、ダクトカバー５０の係止部５１，５２をダクト４０の上部係止部４６ａ、下部係止部４６ｂのそれぞれに係合させる。ダクトカバー５０を弾性に富む樹脂製のものとしておけば、それを若干撓ませることによって係止部５１，５２を容易にダクト４０の上部係止部４６ａ、下部係止部４６ｂのそれぞれに係合させることができる。そして、ダクト４０に重ね合わされた表示部２０の左右両側のそれぞれの係止片２９の上からダクトカバー５０を取り付けることにより、表示部２０をダクト４０に拘止することができる。すなわち、ダクトカバー５０はダクト４０内の金属レール４８を保護するとともに、表示部２０の両端部をダクト４０に拘止する拘止部材としての役割を果たすのである。
【００５１】
表示部２０の内部にはプリント基板等の変形に弱い精密部品が内蔵されているのであるが、以上の第２実施形態のようにすれば、表示部２０はダクト４０の上部係止部４６ａに係止されるのみであって、ダクトカバー５０によってダクト４０に拘止されることとなるため、表示部２０の取付時にそれに作用する変形応力は皆無であり、上記第１実施形態において述べた効果に加えて、表示部２０内部の精密部品の破損を防止することができる。
【００５２】
＜３．変形例＞
以上、本発明の実施の形態について説明したが、この発明は上記の例に限定されるものではない。例えば、上記各実施形態においては、ダクトベース３０とダクト４０とを一体に形成していたが、これを別個に分離して形成するようにしても良い。この場合は、ダクトベース３０とダクト４０とを蝶番を用いて接続することにより、ダクトベース３０に対してダクト４０を回動自在に蝶着するようにすれば良い。
【００５３】
また、上記の各実施形態においては、配線３９、配線４９および金属レール４８の本数が２本であるように図示していたが、これらの本数は２本に限定されるものではなく、必要に応じて適宜の数とすることができる。
【００５４】
また、上記の各実施形態においては、ダクトベース３０を断面Ｌ字形状として取付片３１と延設片３２とが垂直をなすようにしていたが、これに限定されるものではなく、ダクトベース３０の断面形状はダクト４０の係合部４３とダクトベース３０の係合部３３との係合によってラック用配線スペースＳＰ１が形成されるような形状であれば良い。
【００５５】
また、第２実施形態において、金属レール４８を設けるのに代えて、第１実施形態と同様の表示部２０への配線４９を設けるようにしても良い。具体的には、表示部２０に接続された配線を表示部２０とダクト４０との隙間およびダクトカバー５０とダクト４０との隙間を通すようにする。
【００５６】
さらに、本発明に係る表示装置をピッキングシステムに適用した場合について説明したが、本発明に係る表示装置はラックに取り付けられ、当該ラック内に関する所定の情報を表示するものであれば良く、例えばソーティングシステムに適用するようにしても良い。
【００５７】
【発明の効果】
以上、説明したように、請求項１の発明によれば、ラックに固設可能な裏面を有する長尺のダクトベースと、前面に表示部が取り付けられ、表示部への配線経路を配置する表示部用配線スペースを内包する長尺のダクトと、を備え、ダクトベースは、その長手方向に沿った一方側縁部に第１係合部を有し、ダクトは、その長手方向に沿って伸びる第２係合部を有し、ダクトは、ダクトベースの長手方向に沿った他方側縁部に回動自在に蝶着され、第１と第２の係合部が互いに係合することによって、ラックの所定部位への配線を収容するラック用配線スペースがダクトの裏面とダクトベースの前面との間に形成されるため、ラック用配線スペースを用いてラック用の配線を収容することができるとともに、その配線の単純かつ短いものとすることができ、配線作業を含むラックへの表示装置の取付作業が簡便なものとなる。さらにダクトを回動させるだけでダクトをダクトベースに容易に装着することができ、表示装置をラックに簡便に取り付けることができる。
【００５９】
また、請求項２の発明によれば、ダクトベースの他方側縁部にてダクトがダクトベースと一体に形成されているため、表示装置の取付作業を迅速に行うことができるとともに、表示装置の製作性も向上する。
【００６０】
また、請求項３の発明によれば、ダクトベースが断面略Ｌ字形状の部材であり、ダクトベースと対向するダクトの裏面が略平面であり、ダクトをダクトベースに重ね合わせて装着することによって、ラック用配線スペースが断面略三角形に形成されるため、簡単な構成によってラック用配線スペースを形成することができる。
【００６１】
また、請求項４の発明によれば、表示部がダクトの前面側に重ね合わされた状態にて、表示部の両端が拘止部材によってダクトに拘止されることによって、表示部がダクトの前面に取り付けられているため、表示部を変形させることなくダクトに取り付けることができ、表示部の破損を防止することができる。
【図面の簡単な説明】
【図１】本発明に係る表示装置が適用されるピッキングシステムのラックの一部を示す正面図である。
【図２】本発明に係る表示装置の表示部の構成を示す図である。
【図３】ラックのフレームに取り付けられた本発明に係る表示装置を示す斜視図である。
【図４】図３の表示装置の断面図である。
【図５】図４の表示装置のダクトが回動する様子を示す図である。
【図６】本発明に係る表示装置の他の例を示す図である。
【図７】本発明に係る表示装置の他の例を示す斜視図である。
【図８】図７の表示装置の断面図である。
【符号の説明】
１  ラック
１０  フレーム
１６  ランプ回転灯
１７  音声スピーカー
２０  表示部
３０  ダクトベース
３３，４３  係合部
３９，４９  配線
４０  ダクト
５０  ダクトカバー
ＳＰ１  ラック用配線スペース
ＳＰ２  表示部用配線スペース
【図１】
0004679709.tif 000002
【図２】
0004679709.tif 000003
【図３】
0004679709.tif 000004
【図４】
0004679709.tif 000005
【図５】
0004679709.tif 000006
【図６】
0004679709.tif 000007
【図７】
0004679709.tif 000008
【図８】
0004679709.tif 000009